(57)【要約】      （修正有）【課題】絨毯生地とオーストリッチまたはクロコダイルの皮という、厚みの差のある生地を組み合わせて用いて、型崩れ等のない斬新なデザインの袋物を提供する。【解決手段】袋物は、絨毯生地３とオーストリッチまたはクロコダイルの皮２を組み合わせて成るものであって、絨毯生地３の周囲表面に前記皮２の端部を載置した状態で４、縫い合わされており、前記絨毯生地の存在しない箇所では、前記皮２の裏面に、シート状裏打ち材５を介して合成樹脂発泡体６が積層されており、当該積層体の厚さが前記絨毯生地３の厚さと実質的に同一となるようになっていることを特徴とする。【選択図】図３
0003119892.tif 000002
【実用新案登録請求の範囲】
【請求項１】
絨毯生地とオーストリッチまたはクロコダイルの皮を組み合わせて成るものであって、絨毯生地の周囲表面に前記皮の端部を載置した状態で、縫い合わされており、前記絨毯生地の存在しない箇所では、前記皮の裏面に、シート状裏打ち材を介して合成樹脂発泡体が積層されており、当該積層体の厚さが前記絨毯生地の厚さと実質的に同一となるようになっていることを特徴とする袋物。
【請求項２】
前記絨毯生地の裏面が、合成皮革様芯地で裏打ちされていることを特徴とする、請求項１記載の袋物。
【請求項３】
前記合成樹脂発泡体が、ポリオレフィン系発泡体である、請求項１または２記載の袋物。
【請求項４】
前記シート状裏打ち材が、合成皮革様芯地である、請求項１〜３のいずれか１項記載の袋物。
【請求項５】
前記絨毯生地がヘレケである、請求項１〜４のいずれか１項記載の袋物。
【考案の詳細な説明】
【技術分野】
【０００１】
本考案は、絨毯生地とオーストリッチまたはクロコダイルの皮を組み合わせて成る袋物に関する。
【背景技術】
【０００２】
消費者はバッグ等の袋物を購入する際、機能的に優れていることの他に、デザイン的にも好ましいものを選ぶ。袋物のデザインは従来、袋物の全体を構成する布や皮革等の生地に、刺繍を施したり、着色や刻印をなす等によりなされている。特にデザインに重厚感・高級感を持たせたい場合には、厚みのある絨毯地の生地を用いる、シルクの絨毯と皮革とを組み合わせて用いる、等がされている。
【考案の開示】
【考案が解決しようとする課題】
【０００３】
しかし、新規なデザインの袋物は消費者にとって魅力的であり、従来使用され得なかった生地を使用可能にできれば、袋物のデザインをいっそう多様化して、消費者の期待に応えることができる。
【課題を解決するための手段】
【０００４】
本考案者は鋭意検討の末、袋物の生地として、絨毯生地とオーストリッチまたはクロコダイルの皮とを組み合わせて用いることを可能とし、新規なデザインの袋物の作製を可能とした。
即ち本考案は、絨毯生地とオーストリッチまたはクロコダイルの皮を組み合わせて成るものであって、絨毯生地の周囲表面に前記皮の端部を載置した状態で、縫い合わされており、前記絨毯生地の存在しない箇所では、前記皮の裏面に、シート状裏打ち材を介して合成樹脂発泡体が積層されており、当該積層体の厚さが前記絨毯生地の厚さと実質的に同一となるようになっていることを特徴とする袋物に関するものである。
【０００５】
本考案の袋物は、絨毯生地とオーストリッチまたはクロコダイルの皮とを組み合わせて使用したことで、袋物に重厚感・高級感を与えるものである。絨毯生地は概して厚手である一方、オーストリッチまたはクロコダイルの皮は薄肉であることから、両者を組み合わせる場合、当該厚みの差−特に接ぎ合わせ部分で顕著である−により、仕上がった袋物に種々の不具合；絨毯地部分と皮の部分との質感のアンバランス、当該接ぎ合わせ部分での皮のつれ、これらに基づく製品の型崩れ、型紙の寸法から予定される製品の形状と実際に仕上がった製品の寸法・形状のずれ等が生じる。本考案は、かかる両者の厚みの差を、絨毯生地の周囲表面にオーストリッチまたはクロコダイルの皮の端部を載置した状態で、縫い合わせ、加えて、前記絨毯生地の存在しない箇所では、前記皮の裏面に、シート状裏打ち材を介して合成樹脂発泡体を積層し、かつ、当該積層体の厚さが前記絨毯生地の厚さと実質的に同一となるようにすることで、なくしたものである。
【０００６】
本考案の絨毯生地は、絹、羊毛等から成る一般的な絨毯生地でよいが、トルコ地方原産の高級シルク絨毯−ヘレケ絨毯−等を用いた場合には、オーストリッチやクロコダイルとの組み合わせで、高級感が高まる。
本考案のシート状裏打ち材は、絨毯生地の存在しない箇所で、前記皮の裏面に重ね合わされ皮を支持して、当該箇所に一定の硬さを担保し、作成された袋物に定形性を与えるものである。かかるシート状裏打ち材は軽量のものが好ましく、例えば合成皮革等から成る芯地、不織布である。
【０００７】
本考案の合成樹脂発泡体は、絨毯生地の存在しない箇所で、前記皮の裏面に重ね合わされた前記シート状裏打ち材に重ね合わされて、当該箇所における絨毯生地に対する厚みの差を補填し、かかる差をなくすためのものである。かかる合成樹脂発泡体は、弾力性のある軽量のものが好ましい。例えばポリオレフィン系発泡体が好ましい。
本考案の袋物は、少なくとも絨毯生地片のたるみを防ぐため、少なくとも前記絨毯生地片の裏面を合成皮革様芯地で裏打ちしてよい。
【考案の効果】
【０００８】
本考案により、絨毯生地とオーストリッチまたはクロコダイルの皮という、厚みの差のある生地を組み合わせて用いたにも関わらず型崩れ等のない、斬新なデザインの袋物を提供できる。軽量の皮を用い、皮の裏面に積層する裏打ち材や合成樹脂発泡体にも軽量のものを用いることで、絨毯生地を用いた場合にも、全体として軽量でスマートな袋物を提供できる。
【考案を実施するための最良の形態】
【０００９】
[実施例]
図１および図２は、本考案の袋物(１、１’)の具体例を示す。図３は、図１および図２に示す本考案の袋物(１、１’)における、絨毯生地(３、３’)と皮(２、２’)との縫い合わせ部分の断面を示す。
図１に示す本考案の袋物１は、全体的にオーストリッチの皮２から成る上部開口型の袋物１の側部にヘレケ絨毯生地片３が接ぎ合されて成るものである。皮２と絨毯生地片３とは、絨毯生地片３の周囲表面に、皮２の端部を載置した状態で縫合し、接ぎ合わせてある(図３の符号４)。絨毯生地片３の存在しない箇所では、皮２の裏面に、ポリエステル１００％の合成皮革の芯地(図３の符号５)を介して架橋ポリエチレン発泡体[ペフ(登録商標)；東レ株式会社]６が積層されている。皮２と芯地５、および芯地５と発泡体６は、各々接着剤で貼り合わせてある。
【００１０】
図２に示す本考案の袋物１’は、背面部の上部に、背面部と一体形成された蓋部７を有するバッグであり、蓋部７の全体から背面部８まで、絨毯生地片３’で一体的に形成されており、背面部の下端部と、バッグ前面部、側面部および底面部が、クロコダイル２’で形成されている。バッグ背面部の絨毯生地片３’とクロコダイル２’とは、絨毯生地片３’の端部の表面にクロコダイル２’の端部を載置した状態で縫い合わせ４、前記絨毯生地３’の存在しない箇所では、クロコダイル２’の裏面にポリエステル１００％の合成皮革の芯地５を介して架橋ポリエチレン発泡体[ペフ(登録商標)；東レ株式会社]６が積層されている。皮２’と芯地５、および芯地５と発泡体６は、各々接着剤で貼り合わせてある。
【００１１】
図１および図２に示す袋物(１、１’)の芯地５と発泡体６とを合わせた厚さは、絨毯生地片(３、３’)の厚さと実質的に同一である。この構成により、袋物(１、１’)は全体として一様の厚さで、引きつれや型崩れなく、型紙から予定されるサイズ・形状に作成できた。図１および図２に示す袋物(１、１’)には、絨毯生地片(３、３’)の裏面に、ポリエステル１００％の合成皮革の芯地５を貼り付けてあり、これでヘレケ絨毯生地片(３、３’)のたるみが抑えられている。なお、袋物(１、１’)の裏面全体に、絨毯生地片(３、３’)の裏面における芯地５および皮(２、２’)の裏面における発泡体６の上から、合成紙[ウェブロン(登録商標)]ないし不織布(図示せず)を接着剤で貼り付けて、全体的形状の補整・全体的補強が可能である。
【図面の簡単な説明】
【００１２】
【図１】本考案の袋物の一態様示す図である。
【図２】本考案の袋物の別の一態様を示す図である。Ａは前方斜視図、Ｂは後方斜視図である。
【図３】図１および図２に示す本考案の袋物における、絨毯生地と皮との縫合部分の断面図である。
【符号の説明】
【００１３】
１、１’  本考案の袋物
２  オーストリッチの皮
２’  クロコダイルの皮  
３、３’  絨毯生地片
４  絨毯生地片と皮との縫合箇所
５  合成皮革の芯地
６  発泡体
７  蓋部
８  絨毯生地片３’のバッグ背面部における下端
【図１】
0003119892.tif 000003
【図２】
0003119892.tif 000004
【図３】
0003119892.tif 000005